(57)【特許請求の範囲】
【請求項１】
天板と脚部とから構成されて、患者の寝台上での膝立位による胸骨圧迫時に術者の足趾を支持する足趾支持台であって、
前記寝台から離隔する方向において移動不能に固定される固定手段を備えていることを特徴とする足趾支持台。
【請求項２】
前記固定手段が前記寝台に対して着脱可能に固定される固定部を含んで構成されている請求項１に記載の足趾支持台。
【請求項３】
前記固定部が前記寝台のフレームに対して係合されるようになっている請求項２に記載の足趾支持台。
【請求項４】
前記天板と前記固定部との高さ方向での距離が調節可能とされている請求項２又は３に記載の足趾支持台。
【請求項５】
前記固定手段が前記天板から突出する突出板部を含んで構成されており、該突出板部が前記患者と前記寝台との間に挿し入れられることで該患者の体重により移動不能に固定されるようになっている請求項１〜４の何れか１項に記載の足趾支持台。
【請求項６】
前記突出板部が前記患者の背中を覆い得る大きさの板状体により構成されている請求項５に記載の足趾支持台。
【請求項７】
前記寝台への固定時に前記天板が該寝台と重なるようになっている請求項１〜６の何れか１項に記載の足趾支持台。
【請求項８】
折り畳み可能な構造とされている請求項１〜７の何れか１項に記載の足趾支持台。
【請求項９】
折り畳むことで前記寝台に対して収納可能な構造とされている請求項８に記載の足趾支持台。
【請求項１０】
前記天板が前記寝台の表面に載置される載置部を有しており、前記載置部の一部が前記天板に加えられる荷重により前記寝台の表面に食い込んで圧接される圧接係合部とされており、該圧接係合部によって前記固定手段が構成されている請求項１に記載の足趾支持台。
【請求項１１】
前記圧接係合部が、前記載置部から前記寝台に向かって突出し前記寝台の長手方向に延出する突条部を含んで構成されている請求項１０に記載の足趾支持台。
【請求項１２】
前記天板が前記寝台の表面に載置される載置部と前記寝台の外周側に突出する突出部を有しており、前記載置部を前記寝台の表面に載置した状態で、前記突出部が前記載置部よりも高位に支持されて前記天板が前記載置部側に向かって下方傾斜するように保持されており、前記圧接係合部が、前記載置部の前記傾斜方向における下方側端縁部を含んで構成されている請求項１０又は１１に記載の足趾支持台。
【請求項１３】
前記天板が前記寝台の表面に載置される載置部と前記寝台の外周側に突出する突出部を有しており、前記突出部の底面に設けられたヒンジ部を介して前記脚部が回転自在に連結されている一方、前記脚部の拡開方向の回動端を規定するストッパが設けられており、前記脚部を前記ストッパによって前記回動端に保持された状態で前記天板の前記載置部を前記寝台の表面に載置することにより、前記寝台を支持する床面へ当接する前記脚部の先端部が、前記ヒンジ部を通って前記床面に直交する垂線に対して前記寝台と反対側に配置されるようになっている請求項１０〜１２の何れか１項に記載の足趾支持台。
【請求項１４】
前記天板が前記術者の前記足趾と膝が載置可能な大きさを有している請求項１〜１３の何れか１項に記載の足趾支持台。
【請求項１５】
前記天板の高さ位置を調節する高さ調節機構が設けられている請求項１〜１４の何れか１項に記載の足趾支持台。
【請求項１６】
前記術者の左右脚のそれぞれに対して設けられるようになっている請求項１〜１５の何れか１項に記載の足趾支持台。
【請求項１７】
前記天板の幅方向両側のそれぞれに前記脚部が設けられていると共に、これらの脚部における所定の高さ位置において、水平方向に延びる足掛部が設けられており、前記術者が該足掛部に足を掛けて該天板上に乗ることができるようになっている請求項１〜１６の何れか１項に記載の足趾支持台。
【発明の詳細な説明】
【技術分野】
【０００１】
本発明は、寝台上での膝立位による胸骨圧迫時に術者の足趾（爪先）を支持する足趾支持台に関するものである。
【背景技術】
【０００２】
従来から、臨床現場ではストレッチャーやベッドなどの寝台上に仰臥している患者に対して心肺蘇生術を施す際、術者は患者の胸部を５ｃｍ以上、毎分１００回以上で圧力を加えるようにすることを原則としている。これを胸骨圧迫と言うが、立位の状態での寝台上で行われる胸骨圧迫は、寝台の高さと術者の身長の不整合から床上で行われる場合の胸骨圧迫と比較して効率が悪いことが、非特許文献１に示されている。
【０００３】
そこで、この問題を解消するために術者が寝台上に両膝をついた膝立位で施術する場合もある。しかしながら、膝立位で施術する場合、術者の下腿が空中に浮いており、足趾が固定されていないことから下肢全体が安定せず、胸骨圧迫をするための姿勢がとりにくかった。かかる理由から足趾が固定されていない膝立位による施術は有効な圧迫効果が得られないということを、本出願人は非特許文献２において示している。
【０００４】
そして、かかる問題を解決するために、本出願人は非特許文献３において、寝台に下肢固定板（足趾支持台）を隣接して設置することを提案している。すなわち、図２５に示すように、下肢固定板２は、足趾３を支持するための天板４と当該天板４を床面から一定の高さに保つための脚部６とから構成されている。上記の如き下肢固定板２を寝台８に隣接して設けることにより、胸骨圧迫時に術者９の足趾３が下肢固定板２に支持されて、安定した姿勢で胸骨圧迫を行うことが可能となっている。特に、確実な胸骨圧迫を行うためには、患者の胸部に重ね合わせた術者の腕部を介して術者の体重を集中的に及ぼすことが重要となるが、術者の足趾が下肢固定板に支持されることにより、術者の圧迫動作毎に術者の重心を腕部側に移動させる反力を得ることができるのである。
【０００５】
しかしながら、寝台に下肢固定板（足趾支持台）を隣接して設置するだけでは、胸骨圧迫時の術者の激しい動作（重心移動）を支持するには十分ではなく、術者の足趾の支持が不安定になってしまうおそれがあり、改善の余地を有していた。
【先行技術文献】
【非特許文献】
【０００６】
【非特許文献１】Ｃｈｏ  Ｊ．  ｅｔ  ａｌ、「Ｅｆｆｅｃｔｓ  ｏｆ  ｂｅｄｈｅｉｇｈｔ  ｏｎ  ｔｈｅ  ｐｅｒｆｏｒｍａｎｃｅ  ｏｆ  ｃｈｅｓｔ  ｃｏｍｐｒｅｓｓｉｏｎｓ」、Ｅｍｅｒｇｅｎｃｙ  Ｍｅｄｉｃｉｎｅ  Ｊｏｕｒｎａｌ、２００９年１１月、第２６巻、第１１号、ｐ．８０７−８１０
【非特許文献２】神谷菜月他、「医療現場における心肺蘇生の特性の検証」、日本人間工学会東海支部２０１３年研究大会論文集、２０１３年１１月２日、ｐ．３８−３９
【非特許文献３】下村茉里奈他、「胸骨圧迫時の術者の下肢固定の重要性の検証」、日本人間工学会東海支部２０１３年研究大会論文集、２０１３年１１月２日、ｐ．４０−４１
【発明の概要】
【発明が解決しようとする課題】
【０００７】
ここにおいて、本発明は、上述の如き事情を背景として為されたものであって、その解決課題とするところは、寝台上での膝立位による胸骨圧迫時に術者の足趾を安定して支持することのできる、新規な構造の足趾支持台を提供することにある。
【課題を解決するための手段】
【０００８】
本出願人は、寝台上における膝立位での胸骨圧迫に際して、術者の足趾の支持が不安定になる理由として、術者の激しい動作（重心移動）などにより足趾支持台が寝台からずれてしまうということを見出した。
【０００９】
すなわち、本発明の第１の態様は、天板と脚部とから構成されて、患者の寝台上での膝立位による胸骨圧迫時に術者の足趾を支持する足趾支持台であって、前記寝台から離隔する方向において移動不能に固定される固定手段を備えていることを特徴とするものである。
【００１０】
本態様に従う構造とされた足趾支持台によれば、患者の寝台から離隔する方向において移動不能に固定される固定手段を備えていることから、寝台上での膝立位による胸骨圧迫時に術者の圧迫作動に伴う外力が足趾支持台に及ぼされても、足趾支持台が寝台から離隔方向にずれるおそれが回避される。これにより、胸骨圧迫時において、術者の足趾が足趾支持台の天板上に安定して支持されて、胸骨圧迫の姿勢を固定させることができるとともに、術者の圧迫作動に伴う外力に対して反力を及ぼすことができて、術者の重心移動がより確実に実現されることから、有効な圧迫効果を得ることができる。それ故、かかる足趾支持台を採用することにより、効果的な胸骨圧迫が実現され得る。
【００１１】
なお、本態様における寝台は、例えば病院や一般家庭に設置されるベッドや患者を搬送するストレッチャーなどが採用されるものであり、すなわち患者が仰臥する載置面が床面から離隔していればよい。さらに、足趾支持台は寝台から離隔する方向において移動不能とされていればよく、ストレッチャーのように寝台が移動可能とされる場合には、例えば足趾支持台にキャスターなどを設けて、寝台と共に移動可能としてもよい。これにより、ストレッチャーなどで搬送中の患者に対しても安定して胸骨圧迫を施すことができる。あるいは、寝台から離隔する方向でなければ、足趾支持台は寝台に対して相対的に移動してもよい。
【００１２】
また、本態様において、患者の寝台上で膝立位によって胸骨圧迫を実施する際には、患者が寝台上に仰臥する状態で胸骨圧迫が施されればよく、術者の膝の位置は限定されるものではない。すなわち、患者が仰臥する寝台上に術者が膝をついてもよいし、寝台上の患者の位置に応じて、例えば術者が足趾支持台の天板上に膝をつくようにしてもよい。さらに、足趾支持台は術者の両脚の足趾を支持することが好適であるが、少なくとも術者の一方の脚の足趾が支持されていればよい。
【００１３】
本発明の第２の態様は、前記第１の態様に係る足趾支持台において、前記固定手段が前記寝台に対して着脱可能に固定される固定部を含んで構成されているものである。
【００１４】
本態様に従う構造とされた足趾支持台によれば、固定部により寝台に対して着脱可能とされていることから、胸骨圧迫を行わないときには足趾支持台を寝台から取り外して収容することができる。これにより、足趾支持台を使用しない際に寝台の周辺が足趾支持台で占められることがなく、医師などによる治療や患者による寝台の昇降が妨げられるおそれが回避され得る。
【００１５】
なお、本態様の固定部の構造や寝台における固定箇所などは何等限定されるものではなく、固定部は、例えば寝台のフレームや寝台に設けられる転落防止用の柵などに固定されてもよい。
【００１６】
本発明の第３の態様は、前記第２の態様に係る足趾支持台において、前記固定部が前記寝台のフレームに対して係合されるようになっているものである。
【００１７】
本態様に従う構造とされた足趾支持台によれば、固定部が寝台のフレームに対して係合されるようになっていることから、例えば固定部が寝台に設けられる転落防止用の柵などに固定される場合に比べて、足趾支持台が寝台からずれることが一層効果的に防止され得る。これにより、より安定した寝台上での膝立位による胸骨圧迫が実現され得る。
【００１８】
なお、本態様における固定部の構造は何等限定されるものではなく、例えば鉤状とされて寝台のフレームに引っ掛けて係合させてもよいし、寝台のフレームに凹部を設けて当該凹部に嵌め入れるようにしてもよい。尤も、かかる凹部は別途設ける必要はなく、寝台に対して転落防止用の柵を設置する際の設置用の凹部を利用してもよい。あるいは、クランプ状とされて寝台のフレームを厚さ方向で挟み込んで固定したり、バンド状とされて寝台のフレームに対して、例えば面ファスナーなどで固定するようにしてもよい。
【００１９】
本発明の第４の態様は、前記第２又は第３の態様に係る足趾支持台において、前記天板と前記固定部との高さ方向での距離が調節可能とされているものである。
【００２０】
本態様に従う構造とされた足趾支持台によれば、固定部に対する天板の高さ位置が調節可能とされている。これにより、例えば寝台と足趾支持台との固定位置が寝台における患者の載置面より下方であっても、天板の高さ位置を調節することにより、例えば患者の載置面と天板の上面との高さ位置を略等しくすることができる。この結果、天板を、術者が胸骨圧迫をし易い位置に位置させることができて、一層安定した姿勢をもって胸骨圧迫を施すことができる。特に、後述する第５、第６の態様と組み合わせることにより、天板から突出する突出板部を、例えば患者とマットレスとの間により確実に挿入することができる。
【００２１】
本発明の第５の態様は、前記第１〜第４の何れかの態様に係る足趾支持台において、前記固定手段が前記天板から突出する突出板部を含んで構成されており、該突出板部が前記患者と前記寝台との間に挿し入れられることで該患者の体重により移動不能に固定されるようになっているものである。
【００２２】
本態様に従う構造とされた足趾支持台によれば、天板が突出板部を備えており、当該突出板部が患者と寝台との間に挿し入れられることで、足趾支持台が患者自身の体重により寝台に固定されるようになっていることから、足趾支持台を寝台に固定するための固定部を必要とすることがなく、足趾支持台の構造が簡単なものとされ得る。なお、前記第２の態様と組み合わせることにより、足趾支持台が固定部により寝台に固定されるだけでなく、突出板部が患者と寝台との間で挟まれることで足趾支持台が寝台に固定されることから、寝台に対する足趾支持台のずれが更に一層効果的に防止され得る。
【００２３】
本発明の第６の態様は、前記第５の態様に係る足趾支持台において、前記突出板部が前記患者の背中を覆い得る大きさの板状体により構成されているものである。
【００２４】
本態様に従う構造とされた足趾支持台によれば、寝台上での胸骨圧迫を一層効果的に施すことができる。すなわち、患者が仰臥する寝台は、一般に、寝台のフレーム上にマットレスが敷かれており、胸骨圧迫時に加える圧力がマットレスに吸収されてしまうことから、寝台上での胸骨圧迫時には、患者と寝台との間に板状体（心肺蘇生用背板）を挿入することがよく行われる。ここにおいて、本態様では、突出板部が患者の背中を覆い得る大きさの板状体により構成されていることから、突出板部を患者と寝台との間に挿入して足趾支持台を寝台に対して固定させるだけでなく、突出板部を心肺蘇生用背板として利用することも可能となる。これにより、別途心肺蘇生用背板を設けることなく、寝台上での膝立位による胸骨圧迫を一層安定して施すことができる。
【００２５】
本発明の第７の態様は、前記第１〜第６の何れかの態様に係る足趾支持台において、前記寝台への固定時に前記天板が該寝台と重なるようになっているものである。
【００２６】
本態様に従う構造とされた足趾支持台によれば、寝台への固定時に寝台を構成する天板と足趾支持台とが重なることから、平面視において足趾支持台と寝台との間に隙間を生じることが回避される。これにより、術者の足趾が足趾支持台上に安定して支持され得る。
【００２７】
本発明の第８の態様は、前記第１〜第７の何れかの態様に係る足趾支持台において、折り畳み可能な構造とされているものである。
【００２８】
本態様に従う構造とされた足趾支持台によれば、折り畳み可能な構造とされていることから、非使用時には折り畳んでコンパクトにすることができる。これにより、医師などによる治療や患者による寝台の昇降が阻害されるおそれが低減され得る。特に、前記第２の態様と組み合わせることにより、寝台から取り外された足趾支持台がコンパクトに折り畳まれ得ることから、足趾支持台の収容スペースを小さく抑えることができる。
【００２９】
本発明の第９の態様は、前記第８の態様に係る足趾支持台において、折り畳むことで前記寝台に対して収納可能な構造とされているものである。
【００３０】
本態様に従う構造とされた足趾支持台によれば、折り畳んで寝台に対して収納可能とされていることから、足趾支持台を収納するスペースを別途設ける必要がなく、例えば救急車などに搭載されるストレッチャーに足趾支持台を収納することにより、救急車などの限られた空間内でも足趾支持台を効率的に収納することができる。特に、足趾支持台を寝台に固定した状態で折り畳んで寝台に収納可能とすることにより、使用する度に寝台への装着および取外しを行う必要がなく、折り畳まれた足趾支持台を展開することのみで使用できることから、集中治療室（ＩＣＵ）や冠疾患集中治療室（ＣＣＵ）に設けられる場合など、より緊急の、且つ頻度の多い胸骨圧迫にも対応することが可能となる。
【００３１】
本発明の第１０の態様は、前記第１の態様に係る足趾支持台において、前記天板が前記寝台の表面に載置される載置部を有しており、前記載置部の一部が前記天板に加えられる荷重により前記寝台の表面に食い込んで圧接される圧接係合部とされており、該圧接係合部によって前記固定手段が構成されているものである。
【００３２】
本態様に従う構造とされた足趾支持台によれば、固定手段が、天板の一部であって寝台の表面に重ね合されて載置される載置部に設けられた圧接係合部により構成されていることから、単に天板の載置部を寝台の表面に載置するだけで、固定手段を寝台に装着する作業が完了する。それゆえ、足趾支持台を寝台に設置する作業時間を可及的に短くすることができ、緊急性を要する心肺蘇生術の実行をより速やかに実施することが可能となる。
【００３３】
しかも、圧接係合部は天板に加えられる術者の体重等の荷重が加えられることで寝台の表面に食い込んで圧接されることから、高い摩擦抵抗や凹凸嵌合状態を発現させることができ、胸骨圧迫時の足趾支持台に及ぼされる寝台からの離隔方向の力に抗して足趾支持台の天板を安定して寝台に固定できるのである。
【００３４】
なお、圧接係合部は、天板に加えられる荷重により寝台の表面に食い込むように構成されていれば具体的な形状等は何れでもよく、例えば、載置部から寝台に向かって突出する単数又は複数の突部によって構成されてもよく、突部の形状も任意に設定し得る。また、載置部そのものの一部に荷重が集中して及ぼされるようにして構成してもよい。
【００３５】
本発明の第１１の態様は、前記第１０の態様に係る足趾支持台において、前記圧接係合部が、前記載置部から前記寝台に向かって突出し前記寝台の長手方向に延出する突条部を含んで構成されているものである。
【００３６】
本態様に従う構造とされた足趾支持台によれば、圧接係合部が載置部から寝台に向かって突出する突条部によって構成されていることから、突条部を天板に及ぼされる荷重により確実に寝台に食い込ませることができる。しかも、突条部は寝台の長手方向に延出していることから、寝台上での膝立位による胸骨圧迫時に足趾支持台に及ぼされる力の方向である寝台からの離隔方向と直交する方向で、圧接係合部が寝台に係合されることとなる。その結果、胸骨圧迫時に足趾支持台の寝台からの離隔変位をより有利に阻止することができる。
【００３７】
本発明の第１２の態様は、前記第１０又は第１１の態様に係る足趾支持台において、前記天板が前記寝台の表面に載置される載置部と前記寝台の外周側に突出する突出部を有しており、前記載置部を前記寝台の表面に載置した状態で、前記突出部が前記載置部よりも高位に支持されて前記天板が前記載置部側に向かって下方傾斜するように保持されており、前記圧接係合部が、前記載置部の前記傾斜方向における下方側端縁部を含んで構成されているものである。
【００３８】
本態様に従う構造とされた足趾支持台によれば、足趾支持台の天板が、寝台に載置される載置部よりも寝台から突出する突出部が上方に支持されており、これにより、天板が載置部側に向かって下方傾斜するように保持されている。その結果、天板に加わる術者の体重等の荷重を載置部の下方側端縁部に集中させることができ、天板の傾斜方向の下方側端縁部をそのまま圧接係合部として利用することができる。それゆえ、平板状の天板に何らの部材を設けることのない簡素な構造により圧接係合部を構成することができる。したがって、足趾支持台の寝台への取り付けや取り外しの際に圧接係合部が天板から突出している場合に比して、他部材と干渉する恐れを低減でき、取扱性の向上を図ることができる。
【００３９】
しかも、足趾支持台を寝台に設置した状態で、天板が寝台に向かって下方傾斜していることから、圧迫動作毎に術者が重心を胸部側に移動させる反力を天板部から有利に確保することができて、胸骨圧迫の確実な実行を促進することが可能となる。すなわち、胸骨圧迫時に術者の足趾が天板を押圧する（蹴り出す）際に天板から受ける反力は、天板が下方傾斜することによって天板に平行で患者から離隔する方向に向かうすべり方向の成分を小さくでき、その分、術者は天板から大きな反力を安定して得ることができ、圧迫作動毎の術者の重心の胸部側への移動を安定的に実現して、確実な胸骨圧迫を行うことができる。かかる構成による効果は、天板を載置部に向かって上方傾斜するよう逆向きに傾斜させた際に、天板に平行で患者から離隔する方向に向かうすべり方向の成分が大きくなって十分な反力が得られないことからも理解できる。なお、かかる効果と術者の作業性を考慮すると、天板の寝台に対する傾斜角度αは、０°＜α≦４５°、より好ましくは３°≦α≦３０°、さらに好ましくは３°≦α≦１５°に設定される。
【００４０】
本発明の第１３の態様は、前記第１０〜第１２の何れかの態様に係る足趾支持台において、前記天板が前記寝台の表面に載置される載置部と前記寝台の外周側に突出する突出部を有しており、前記突出部の底面に設けられたヒンジ部を介して前記脚部が回転自在に連結されている一方、前記脚部の拡開方向の回動端を規定するストッパが設けられており、前記脚部を前記ストッパによって前記回動端に保持された状態で前記天板の前記載置部を前記寝台の表面に載置することにより、前記寝台を支持する床面へ当接する前記脚部の先端部が、前記ヒンジ部を通って前記床面に直交する垂線に対して前記寝台と反対側に配置されるようになっているものである。
【００４１】
本態様に従う構造とされた足趾支持台によれば、脚部が天板の突出部の底面に回転自在にヒンジ連結されており、天板に対する脚部の閉方向の回動端は天板と脚部の当接によって規定される一方、天板に対する脚部の拡開方向への回動端は、ストッパ部によって規定されている。それゆえ、天板と脚部を並列させて折り畳んだ状態から、脚部を天板に対して回動させて、ストッパ部によって規定される回動端まで拡開するだけで、足趾支持台を速やかに寝台への装着が可能な状態にすることができる。しかも、天板には圧接係合部が設けられていることから、脚部を回動端まで開いた状態の足趾支持台の天板の載置部を寝台に載置するだけで、足趾支持台の寝台への設置および固定を速やかに完了させることができる。これにより、緊急性を要する心肺蘇生術の速やかな実行にさらに有利に寄与することができる。
【００４２】
加えて、寝台へ設置および固定された足趾支持台の脚部の先端部が、ヒンジ部を通って床面に直交する垂線に対して寝台と反対側に配置されるようになっている。これにより、胸骨圧迫時に天板に対して寝台から離隔する方向への力が及ぼされても、天板が変位して脚部の先端部が垂線よりも寝台側に位置してしまい、脚部がヒンジ部回りで閉方向に回動してしまうことを安定して阻止することができる。具体的には、脚部の先端部を、ヒンジ部を通って床面に直交する垂線よりも寝台からより離隔した位置に配置させることで、ヒンジ部が脚部の先端部よりも寝台から離隔した位置に変位するために移動する軌跡は、先端部を中心とした回転方向で上向きの成分を含むこととなる。天板には術者の体重等の荷重が加わっていることから、ヒンジ部が変位するためにはかかる荷重に抗する力が必要となり、実質的にヒンジ部の寝台から離隔する方向への変位が不可能となるのである。
【００４３】
なお、脚部の拡開方向の回動端を規定するストッパは、当該位置に脚部を仮保持する仮保持機構を設け、仮保持機構を解除しなければ脚部の閉方向への回動が阻止されるようにしてもよく、そのような仮保持機構を有するものが本態様の範囲に含まれることはもちろんである。
【００４４】
本発明の第１４の態様は、前記第１〜第１３の何れかの態様に係る足趾支持台において、前記天板が前記術者の前記足趾と膝が載置可能な大きさを有しているものである。
【００４５】
本態様に従う構造とされた足趾支持台によれば、天板上に術者の足趾と膝を載置することができることから、天板に対して術者の体重の大部分を荷重として及ぼすことができ、圧接係合部を有している場合には、圧接係合部と寝台との係合による足趾支持台の寝台への固定を一層安定して実現することができる。さらに、寝台のフレーム上にマットレスが敷かれる場合には、術者の膝の沈み込みによる圧迫姿勢の不安定性を解消することができ、より安定して胸部の圧迫を行うこともできる。
【００４６】
本発明の第１５の態様は、前記第１〜第１４の何れかの態様に係る足趾支持台において、前記天板の高さ位置を調節する高さ調節機構が設けられているものである。
【００４７】
本態様に従う構造とされた足趾支持台によれば、天板の高さ位置を調節する高さ調節機構が設けられていることから、異なる高さの寝台に対して共通の足趾支持台を使用することができる。なお、かかる高さ調節機構の具体的な構造は何等限定されるものではないが、例えば足趾支持台を構成する脚部の下端にねじ式や油圧式のジャッキ構造を設けて床面から天板までの距離を調節可能としたり、脚部を、複数本のロッドがテレスコピック構造やねじ式構造をもって接続された構造として、脚部の長さを調節することで天板の高さを調節可能とすることもできる。また、上記の如き構造をもって天板の高さを手動で調節する他、モータなどを用いて天板の高さを電動で調節することも可能である。
【００４８】
本発明の第１６の態様は、前記第１〜第１５の何れかの態様に係る足趾支持台において、前記術者の左右脚のそれぞれに対して設けられるようになっているものである。
【００４９】
本態様に従う構造とされた足趾支持台は、術者の左右脚のそれぞれに対して設けられるようになっていることから、術者の両脚を一度に支持する大きさの天板を必要とせず、一方の脚を支持する大きさの天板を一対設ければよい。これにより、天板、ひいては足趾支持台の大きさを小さくすることができる。特に、前記第２の態様と組み合わせることにより、一対の足趾支持台をそれぞれ別々に収容することができることから、寝台から取り外された足趾支持台の収容スペースもコンパクトにされ得る。また、一対の足趾支持台間に患者に挿入される医療用チューブやカテーテルなどを位置させることができて、治療の妨げになるおそれが効果的に低減され得る。さらに、胸骨圧迫を実施しない時には、一対の足趾支持台間から医師や看護師が患者に対して医療行為などを行うことも可能である。
【００５０】
本発明の第１７の態様は、前記第１〜第１６の何れかの態様に係る足趾支持台において、前記天板の幅方向両側のそれぞれに前記脚部が設けられていると共に、これらの脚部における所定の高さ位置において、水平方向に延びる足掛部が設けられており、前記術者が該足掛部に足を掛けて該天板上に乗ることができるようになっているものである。
【００５１】
本態様に従う構造とされた足趾支持台によれば、天板の幅方向両側からは床面に向かって脚部が延び出しており、当該脚部の所定の高さ位置において、水平方向に延びる足掛部が設けられていることから、術者が、当該足掛部に足を掛けて天板上に素早く乗ることができて、胸骨圧迫を迅速に行うことができる。特に、足掛部が、天板の長さ方向において、寝台と反対側の端部と略同位置かそれよりも外方に設けられることにより、術者が天板上に乗り上がる動作を一層素早く行うことができる。
【発明の効果】
【００５２】
本発明に従う構造とされた足趾支持台によれば、患者の寝台に対して移動不能とされる固定手段を備えていることから、胸骨圧迫時の激しい動作に対しても寝台に対して離隔する方向にずれることが防止され得る。これにより、寝台上での膝立位による胸骨圧迫時に術者の足趾を安定して支持することができる。
【図面の簡単な説明】
【００５３】
【図１】本発明の第１の実施形態としての足趾支持台を示す斜視図。
【図２】図１に示される足趾支持台を構成する固定部を拡大して示す右側面図。
【図３】本発明の第２の実施形態としての足趾支持台を示す斜視図。
【図４】図３に示される足趾支持台を構成する高さ調節機構の具体例を説明するための説明図。
【図５】本発明の第３の実施形態としての足趾支持台を示す斜視図。
【図６】図５に示される足趾支持台を構成する固定部を拡大して示す右側面図。
【図７】本発明の第４の実施形態としての足趾支持台を構成する固定部を拡大して示す右側面図。
【図８】本発明の第５の実施形態としての足趾支持台を示す斜視図。
【図９】図８に示される足趾支持台を構成する固定部を拡大して示す右側面図。
【図１０】本発明の第６の実施形態としての足趾支持台を示す斜視図。
【図１１】本発明の第７の実施形態としての足趾支持台を示す斜視図。
【図１２】図１１に示される足趾支持台の寝台への収納作動を説明するための説明図。
【図１３】本発明の第８の実施形態としての足趾支持台を示す斜視図。
【図１４】図１３に示される足趾支持台を構成する固定部を拡大して示す右側面図。
【図１５】本発明の第９の実施形態としての足趾支持台を示す斜視図。
【図１６】図１５に示される足趾支持台の寝台への収納状態を説明するための説明図。
【図１７】本発明の第１０の実施形態としての足趾支持台を寝台への固定状態で示す右側面図。
【図１８】図１７に示される足趾支持台の正面図。
【図１９】図１７に示される足趾支持台を折り畳んだ状態で示す右側面図。
【図２０】本発明の第１１の実施形態としての足趾支持台を示す右側面図。
【図２１】本発明の第１２の実施形態としての足趾支持台の要部を拡大して示す右側面図。
【図２２】本発明の別の態様としての足趾支持台を説明するための説明図。
【図２３】本発明の更に別の態様としての足趾支持台を説明するための説明図。
【図２４】本発明の更に別の態様としての足趾支持台を説明するための説明図。
【図２５】従来構造としての足趾支持台を説明するための説明図。
【発明を実施するための形態】
【００５４】
以下、本発明の実施形態について、図面を参照しつつ説明する。
【００５５】
先ず、図１，２には、本発明の第１の実施形態としての足趾支持台１０が示されている。この足趾支持台１０は患者の寝台１２に隣接して設けられて、寝台１２上での膝立位による胸骨圧迫時において、術者１４の足趾１６を支持することにより、胸骨圧迫が安定してなされ得るようになっている。なお、以下の説明において、上下方向とは、鉛直方向である図２中の上下方向を言う。また、寝台１２の長さ方向とは、図２中の奥手前方向を言う。さらに、図中において、寝台１２および術者１４は仮想線で示している。
【００５６】
より詳細には、足趾支持台１０は、術者１４の両脚の足趾１６を支持するための天板１８と、当該天板１８を床面から一定の高さに保つための脚部２０とを含んで構成されている。本実施形態では、この天板１８は全体として水平方向に広がる矩形板状とされており、寝台１２の長さ方向と直交する方向（図２中の左右方向）が長手方向とされている。そして、かかる天板１８が患者の寝台１２に対して隣接しており、当該天板１８の長手方向において、寝台１２と隣接する側と反対側の端部には、天板１８の幅方向（図２中の奥手前方向）両端に一対の脚部２０，２０が設けられている。これらの脚部２０，２０は全体として略矩形断面のロッド状とされて、天板１８から下方に延びている。
【００５７】
なお、天板１８の大きさは術者１４の足趾１６が支持される大きさであれば何等限定されるものではないが、好ましくは天板１８の長さ方向寸法Ａ（図１参照）が４００ｍｍ以上、且つ６００ｍｍ以下（４００ｍｍ≦Ａ≦６００ｍｍ）とされる。また、本実施形態では、天板１８に術者１４の両脚の足趾１６が支持されるものであり、好ましくは天板１８の幅方向寸法Ｂ（図１参照）が３００ｍｍ以上、且つ９００ｍｍ以下（３００ｍｍ≦Ｂ≦９００ｍｍ）とされて、より好ましくは６００ｍｍ以上、且つ８００ｍｍ以下（６００ｍｍ≦Ｂ≦８００ｍｍ）とされる。
【００５８】
また、天板１８や脚部２０の材質は、金属や硬質の合成樹脂、木などが好適に採用されて、天板１８の下面に対して脚部２０が、接着や溶着、嵌合などにより固定されている。
【００５９】
さらに、寝台１２としては、病院や一般家庭で用いられるベッドや緊急搬送用のストレッチャーなどが採用され得るものであり、寝台１２における患者の載置面２２と床面とが上下方向で離隔している構造であれば、何等限定されるものではない。なお、図１，２では一般的なベッドの構造をもって寝台１２を示しており、すなわち、全体として格子状のフレーム２４に対して下方に延びる脚部２６が設けられているとともに、かかるフレーム２４の上側にはマットレス２８が敷かれている。そして、当該マットレス２８の上面が患者の載置面２２とされている。また、本実施形態では、足趾支持台１０の脚部２０，２０の長さ方向寸法と寝台１２の脚部２６の長さ方向寸法とが略等しくされており、天板１８とフレーム２４の高さ位置が略等しくされている。
【００６０】
ここにおいて、天板１８の長さ方向における寝台１２と隣接する側には、天板１８の幅方向両端に一対の固定部３０，３０が設けられている。これらの固定部３０，３０はそれぞれ、側面視において上方に凸となる略半円湾曲形状の係合部分３１，３１を備えており、これら係合部分３１，３１を、寝台１２の側縁部を構成するフレーム２４に対して引っ掛けて係合することにより、天板１８が床面から一定の離隔距離をもって寝台１２に固定される。これにより、足趾支持台１０が寝台１２の側方に対して着脱可能に固定されるようになっているとともに、寝台１２上での膝立位による胸骨圧迫時の動作により主に入力される外力の方向、すなわち、寝台１２と直交する方向において、足趾支持台１０が寝台１２から離隔不能とされている。要するに、足趾支持台１０は寝台１２から離隔する方向に対して移動不能に固定される固定手段を備えており、本実施形態では、固定部３０，３０の係合部分３１，３１により固定手段が構成されている。
【００６１】
このように、足趾支持台１０が寝台１２に対して固定された状態で、図２に示すように、術者１４が、例えば寝台１２のマットレス２８上に膝立ちになって胸骨圧迫を実施する際には、術者１４の足趾１６が足趾支持台１０の天板１８上に支持される。これにより、安定した胸骨圧迫が実現され得る。なお、図２では、術者１４の膝２９がマットレス２８上に位置しているが、寝台上の患者の位置によっては、必ずしも術者が寝台上に膝をつく必要はなく、足趾支持台の天板上に膝をついてもよい。
【００６２】
ここにおいて、胸骨圧迫の際には術者が上下方向に大きく動くことから、術者が寝台上に膝をついて立つだけでなく、足趾にも力を入れて姿勢を維持することが有効である。しかしながら、術者が足趾にも力を入れることで胸骨圧迫時の振動などが足趾を介して足趾支持台に伝達され易くなり、足趾支持台が寝台から離隔してしまうおそれがあった。そこで、本実施形態の足趾支持台１０では、寝台１２から離隔する方向において移動不能とされる固定手段を設けることにより、寝台１２上での膝立位による胸骨圧迫の際に、術者１４の動作により足趾支持台１０が寝台１２からずれることが防止され得る。これにより、術者１４が激しく動いたとしても足趾１６が足趾支持台１０に安定して支持されて、足趾支持台１０により術者１４が適切な姿勢を維持するための反力を得ることができることから、効果的な胸骨圧迫が実現され得る。
【００６３】
特に、足趾支持台１０が固定部３０，３０により比較的重量のある寝台１２のフレーム２４に固定されていることから、足趾支持台１０の寝台１２からのずれが効果的に防止され得る。
【００６４】
また、足趾支持台１０が固定部３０，３０により寝台１２に対して着脱可能とされていることから、足趾支持台１０の非使用時には寝台１２から足趾支持台１０を取り外すことができる。これにより、足趾支持台１０の非使用時において、足趾支持台１０を寝台１２とは別の場所に収納することができて、医師の治療や患者による寝台１２の昇降が妨げられることが回避され得る。さらに、本実施形態では、固定部３０の係合部分３１を寝台１２のフレーム２４に引っ掛けることのみで足趾支持台１０が寝台１２に対して固定されることから、足趾支持台１０の寝台１２への取付けおよび取外しも容易とされ得る。
【００６５】
次に、図３には、本発明の第２の実施形態としての足趾支持台３２が示されている。本実施形態の足趾支持台３２の脚部３４，３４には、天板１８の高さ位置を調節する高さ調節機構３６，３６が設けられている。また、寝台１２に対する固定部として、前記第１の実施形態と同様の固定部３０，３０が設けられている。なお、以下の説明において、前記実施形態と実質的に同一の部材および部位には、図中に、前記実施形態と同一の符号を付すことにより、詳細な説明を省略する。
【００６６】
すなわち、本実施形態の脚部３４，３４は、それぞれテレスコピック構造とされており、断面形状の大きな筒状体３８，３８の内部に断面形状の小さなロッド状体４０，４０が長さ方向一方（図３中の下方）の端部から挿入されて、ロッド状体４０，４０における長さ方向一方側の端部が筒状体３８，３８から突出している。そして、筒状体３８, ３８とロッド状体４０，４０の長さ方向での相対位置を変化させる、すなわち筒状体３８，３８からのロッド状体４０，４０の突出寸法を変化させることにより、脚部３４，３４の長さ方向寸法が調節可能とされている。
【００６７】
なお、筒状体３８，３８の側面にはボルト４２，４２が貫通して設けられており、これらのボルト４２，４２を締め付けることによりロッド状体４０，４０が筒状体３８，３８の内面とボルト４２，４２とに挟まれ、筒状体３８，３８とロッド状体４０，４０とが長さ方向で相対移動不能とされて、脚部３４，３４の長さ寸法が規定されるようになっている。一方、ボルト４２，４２の締付けを緩めることにより筒状体３８，３８とロッド状体４０，４０との長さ方向での相対位置、すなわち脚部３４，３４の長さ寸法が調節可能とされている。したがって、ボルト４２，４２を含んで、脚部３４，３４の長さ方向寸法を調節して天板１８の高さ位置を調節する高さ調節機構３６，３６が構成されている。
【００６８】
さらに、筒状体３８，３８とロッド状体４０，４０との長さ方向での相対位置は上記のように無段階に調節可能とされてもよいし、例えばロッド状体４０，４０の側面に長さ方向で複数の凹部を設けて当該凹部にボルト４２，４２の先端を挿入することにより筒状体３８，３８とロッド状体４０，４０とを長さ方向で相対移動不能とするなど、段階的に調節可能としてもよい。
【００６９】
また、筒状体３８，３８の基端部分（天板１８との接合部分）には、天板１８に固定された回動軸４４，４４が挿通されている。これにより、脚部３４，３４が回動軸４４，４４を中心として、天板１８の長さ方向における固定部３０，３０が設けられている側に回動することができるようになっている。この結果、足趾支持台３２の非使用時には、脚部３４，３４が天板１８への接近方向へ回動可能とされており、すなわち、本実施形態の足趾支持台３２は折り畳み可能な構造とされている。なお、脚部３４，３４を折り畳んだ状態を図中において仮想線で示す。
【００７０】
上記の如き形状とされた足趾支持台３２においても、前記第１の実施形態と同様に固定手段（固定部３０，３０の係合部分３１，３１）が設けられて、足趾支持台３２が寝台１２から離隔する方向において移動不能に固定されていることから、前記第１の実施形態と同様の効果が発揮され得る。
【００７１】
特に、本実施形態の足趾支持台３２では、脚部３４，３４の長さ寸法が調節可能とされていることから、脚部（２６）の長さ寸法が異なる複数の寝台１２に対しても適用可能である。すなわち、寝台１２の脚部（２６）の長さ寸法に対応して足趾支持台３２の脚部３４，３４の長さ寸法、要するに天板１８の高さ位置を調節することができて、脚部（２６）の長さ寸法が異なる複数の寝台１２の何れに対しても天板１８が水平な状態で足趾支持台３２を設置することができる。これにより、脚部（２６）の長さ寸法が異なる複数の寝台１２のそれぞれに対応した足趾支持台を製造する必要がなく、また、複数の足趾支持台の中から寝台の高さ寸法にあったものを選択するといった作業も省かれることから、コストや手間の削減が図られ得る。
【００７２】
また、足趾支持台３２には前記第１の実施形態と同様の固定手段（固定部３０，３０の係合部分３１，３１）が設けられて寝台１２から取外し可能とされているとともに、脚部３４，３４が折り畳み可能な構造とされていることから、寝台１２から取り外した足趾支持台３２をコンパクトにすることができる。これにより、足趾支持台３２を収納するために必要なスペースを小さくすることができる。
【００７３】
なお、天板１８の高さ位置を調節する高さ調節機構は、図３に示される態様のものに限定されるものではなく、例えば図４（ａ）〜（ｃ）に示される構造も採用され得る。すなわち、図４（ａ）では、高さ調節機構としてねじ式ジャッキ４６が採用されている。かかるねじ式ジャッキ４６が脚部３４の長さ方向中間部分に設けられることにより、脚部３４の長さ寸法、ひいては天板１８の高さ位置を調節することができる。なお、ジャッキの構造はねじ式に限定されるものではなく、油圧式なども採用され得る。
【００７４】
また、脚部３４がテレスコピック構造とされても、図３に示される態様のようにボルト４２が必要とされるものではなく、例えば図４（ｂ）に示される高さ調節機構４８のようにラチェット式とされたり、図４（ｃ）に示される高さ調節機構５０のように回転式とされてもよい。
【００７５】
すなわち、図４（ｂ）に示される高さ調節機構４８では、筒状体３８の下端に弾性変形可能な係止片５２が突設されている一方、ロッド状体４０の外周面には長さ方向に複数の係止歯５４が設けられており、係止片５２が係止歯５４，５４間に係止されるようになっている。そして、ロッド状体４０は筒状体３８に対して下方に相対移動可能とされており、係止片５２が、任意の係止歯５４，５４間に係止されることにより、脚部３４の長さ寸法が調節可能とされている。なお、係止片５２の係止歯５４，５４間への係止を解除することにより、ロッド状体４０は筒状体３８に対して上方に相対移動することができる。したがって、図４（ｂ）に示される態様では、高さ調節機構４８が係止片５２と係止歯５４とにより構成されている。
【００７６】
さらに、図４（ｃ）では、筒状体３８の内周面に雌ねじ５６が設けられている一方、ロッド状体４０の外周面に雄ねじ５８が設けられており、これら雌ねじ５６および雄ねじ５８が螺合している。そして、筒状体３８とロッド状体４０とを相対回転させることにより、脚部３４の長さ寸法が調節可能とされている。したがって、図４（ｃ）に示される態様では、高さ調節機構５０が、雌ねじ５６と雄ねじ５８とにより構成されている。
【００７７】
これら図３や図４に示される高さ調節機構３６，４６，４８，５０を採用することで脚部３４の長さ寸法を調節することが可能であり、これにより天板１８の高さ位置を調節することができる。
【００７８】
次に、図５，６には、本発明の第３の実施形態としての足趾支持台６０が示されている。本実施形態の足趾支持台６０では、天板１８の下面に固定部としてのクランプ６２が設けられており、寝台１２の側縁部を構成するフレーム２４を厚さ方向で挟み込んで固定するようになっている。すなわち、クランプ６２（固定部）により、足趾支持台６０を寝台１２に固定する固定手段が構成されている。
【００７９】
具体的には、天板１８の長さ方向における寝台１２と隣接する側には、天板１８の幅方向両端に一対のクランプ６２，６２が設けられている。そして、これらクランプ６２，６２に寝台１２のフレーム２４を厚さ方向で挟み込んで、クランプ６２，６２の下部に設けられたボルト６４，６４を締め付けることにより、足趾支持台６０が寝台１２に対して移動不能に固定されている。なお、本実施形態では、足趾支持台６０が寝台１２に固定された際に、天板１８と寝台１２の側縁部とが平面視において重なるようになっている。
【００８０】
このように、足趾支持台６０が寝台１２に対して固定手段により移動不能に固定されることから、本実施形態の足趾支持台６０においても、前記第１の実施形態と同様の効果が発揮され得る。
【００８１】
特に、本実施形態では、足趾支持台６０の寝台１２への固定時に、足趾支持台６０と寝台１２とが重なるようにされていることから、足趾支持台６０と寝台１２との間に隙間が発生することが回避されて、例えば術者１４がマットレス２８上の足趾支持台６０から離れた位置で膝をついたとしても、術者１４の足趾１６がより確実に足趾支持台６０上に支持され得る。あるいは、術者１４の膝が足趾支持台６０と寝台１２との隙間に位置するということが回避されて、術者１４が寝台１２または足趾支持台６０上により確実に膝をつくことができる。この結果、寝台１２上の膝立位による胸骨圧迫が一層安定して達成され得る。
【００８２】
次に、図７には、本発明の第４の実施形態としての足趾支持台６６が示されている。本実施形態の足趾支持台６６では、天板１８に対する固定部の高さ方向での距離が調節可能とされている。なお、図７において、足趾支持台６６の脚部としては、前記第１の実施形態の脚部２０，２０や前記第２の実施形態の脚部３４，３４と同様の構造とされた脚部が採用され得ることから、図示を省略する。
【００８３】
すなわち、本実施形態では、固定部として、前記第３の実施形態と同様のクランプ６２が設けられているとともに、当該クランプ６２と天板１８との間にはねじ式ジャッキ６８が取り付けられている。そして、かかるジャッキ６８を伸縮させることにより、クランプ６２と天板１８との高さ方向の距離を調節することができるようになっている。これにより、クランプ６２（固定部）に対する天板１８の高さ方向での位置を調節することができて、特に、本実施形態では、天板１８がマットレス２８の上面に重なるようにされている。すなわち、本実施形態では、ねじ式ジャッキ６８により、天板１８の高さ位置を調節する高さ調節機構が構成されている。
【００８４】
また、本実施形態では、天板１８が、術者１４の足趾１６だけでなく膝２９も載置可能な大きさで形成されている。
【００８５】
かかる構造とされた本実施形態の足趾支持台６６では、固定手段としてのクランプ６２により寝台１２に移動不能に取り付けられることから前記第１の実施形態と同様の効果が発揮され得る。特に、本実施形態では、固定部（クランプ６２）と天板１８との高さ方向の距離を調節することができることから、例えばマットレス２８の厚さ寸法が大きく異なる場合でも、安定して天板１８をマットレス２８の上面に重ね合わせることができる。これにより、患者の載置面２２であるマットレス２８の上面と術者１４の高さ位置を略等しくすることができる。
【００８６】
また、天板１８が、術者１４の足趾１６だけでなく膝２９も載置可能であることから、一層確実に術者１４が天板１８上に膝をつくようにできて、マットレスに膝をつく場合などに比べて術者の膝が沈み込んだりすることがなく、更に安定した姿勢をもって胸骨圧迫を施すことができる。
【００８７】
なお、固定部（クランプ６２）と天板１８との高さ方向での位置調節機構は上記のねじ式ジャッキ６８に限定されるものではなく、油圧式ジャッキや、図３や図４（ｂ），（ｃ）に記載されたものと同様なボルト式やラチェット式、回転式の高さ調節機構も採用され得る。
【００８８】
次に、図８，９には、本発明の第５の実施形態としての足趾支持台７０が示されている。本実施形態の足趾支持台７０は、天板１８から突出する突出板部７２を備えている。なお、本実施形態では、固定部として、天板１８の下面に前記第３の実施形態と同様のクランプ６２，６２が設けられており、当該クランプ６２，６２が寝台１２のフレーム２４を挟み込むことにより足趾支持台７０が寝台１２に固定されるようになっている。
【００８９】
この突出板部７２は、全体として患者７４の背中を覆い得る大きさの板状体により構成されており、本実施形態では、天板１８の長さ方向における寝台１２と隣接する側の側縁部に対して複数のヒンジ７６，７６により接続されている。すなわち、足趾支持台７０の使用状態では、図９に示されるように、突出板部７２が天板１８から寝台１２側に延び出して当該突出板部７２上に患者７４が載置されるようになっており、要するに、突出板部７２が患者７４と寝台１２のマットレス２８との間に挿し入れられている。したがって、足趾支持台７０は、クランプ６２で寝台１２のフレーム２４を挟み込むことにより寝台１２に固定されるだけでなく、突出板部７２上に載置される患者７４の体重により寝台１２に固定されるようになっている。それ故、本実施形態では、クランプ６２（固定部）だけでなく、突出板部７２によっても足趾支持台７０を寝台１２から離隔する方向において移動不能に固定する固定手段が構成されている。一方、足趾支持台７０の非使用状態では、図８に仮想線で示されているように、突出板部７２がヒンジ７６，７６で折り返されて天板１８の上面に重ね合わされるようになっている。すなわち、本実施形態の足趾支持台７０は折り畳み可能な構造とされており、折り畳むことでコンパクトにすることができて、収容スペースの増大が防止され得る。
【００９０】
上記の如き構造とされた本実施形態の足趾支持台７０では、固定部（クランプ６２）により寝台１２に固定されるだけでなく、突出板部７２が患者の体重をもって寝台１２に固定されることから、前記第１の実施形態と同様の効果がより高度に発揮される。
【００９１】
それに加えて、本実施形態の足趾支持台７０では、胸骨圧迫効率の向上が図られ得る。すなわち、一般に、寝台上で胸骨圧迫を実施する際には、胸骨圧迫の圧力がマットレスに吸収されることから、患者とマットレスとの間に板状体（心肺蘇生用背板）を挿入することが行われる。本実施形態の足趾支持台７０では、突出板部７２が心肺蘇生用背板として機能することから、別途患者とマットレスとの間に心肺蘇生用背板を挿入する必要がなく、部品点数増加の防止、および術者の手間の軽減が図られ得る。
【００９２】
なお、前記第４の実施形態の如き固定部（クランプ６２）と天板１８との高さ寸法を調節する機構を採用することにより、天板１８および突出板部７２の高さ位置を任意に調節できることから、突出板部７２を一層確実に患者７４とマットレス２８との間に挿入することができる。
【００９３】
次に、図１０には、本発明の第６の実施形態としての足趾支持台７８が示されている。本実施形態では、術者（１４）の左右両脚のそれぞれに対して足趾支持台７８，７８が設けられている。なお、これらの足趾支持台としては術者（１４）の左右それぞれの脚で同様の構造のものが採用されることから、以下、片方の足趾支持台７８について説明する。
【００９４】
すなわち、本実施形態の足趾支持台７８では、天板８０の長さ方向における寝台１２と隣接する側の側縁部において、天板８０と略同じ幅寸法をもって、前記第１の実施形態と同様の固定部３０（固定手段）が設けられている。一方、天板８０の長さ方向における寝台１２と隣接する側と反対側の側縁部において、幅方向中央部分には、前記第２の実施形態と同様の脚部３４が設けられている。そして、かかる構造とされた一対の足趾支持台７８，７８が寝台１２の長さ方向で所定距離を隔てて対向して設けられており、それぞれの足趾支持台７８，７８の固定部３０，３０における係合部分３１，３１が寝台１２のフレーム２４に係合されることにより、これら足趾支持台７８，７８が寝台１２から離隔する方向において移動不能に固定されている。
【００９５】
なお、本実施形態における足趾支持台７８の天板８０の幅方向寸法Ｃ（図１０参照）の大きさは術者（１４）の片脚の足趾（１６）が支持され得れば何等限定されるものではないが、好ましくは２００ｍｍ以上、且つ４００ｍｍ以下（２００ｍｍ≦Ｃ≦４００ｍｍ）、より好ましくは３００ｍｍ程度（Ｃ≒３００ｍｍ）とされる。また、両足趾支持台７８，７８の対向距離Ｄ（図１０参照）は、術者（１４）の両脚の足趾（１６）が支持され得れば何等限定されるものではないが、２００ｍｍ以上、且つ５００ｍｍ以下（２００ｍｍ≦Ｄ≦５００ｍｍ）とされることが好ましく、より好ましくは３００ｍｍ程度（Ｄ≒３００ｍｍ）とされることが好適である。足趾支持台７８，７８間の間隔が上記範囲とされることにより、胸骨圧迫を実施しない時には、足趾支持台７８，７８間の隙間を通じて医師や看護師が患者に医療行為などを行うことも可能となる。
【００９６】
上記の如き構造とされた足趾支持台７８，７８においても、固定部３０，３０の係合手段３１，３１（固定手段）により寝台１２から離隔する方向に移動不能とされていることから、前記第１の実施形態と同様の効果が発揮され得る。特に、本実施形態の足趾支持台７８，７８は、術者（１４）の左右両脚用に別個に設けられていることから、例えば前記第１の実施形態のように術者（１４）の両脚の足趾（１６）を支持する天板（１８）に比べて、天板８０の大きさを小さくすることができる。これにより、寝台１２から取り外した足趾支持台７８，７８の収容スペースを小さくすることができる。さらに、本実施形態では、第２の実施形態と同様に、脚部３４が折り畳み可能とされていることから、足趾支持台７８，７８を収容するスペースを更に小さくすることができる。
【００９７】
また、両足趾支持台７８，７８の間に空間が設けられることから、当該空間に患者から延び出す医療用チューブやカテーテルを位置させることができる。要するに、患者から医療用チューブやカテーテルが延び出している場合でも、これらのチューブやカテーテルを避けて足趾支持台７８，７８を設置することができて、足趾支持台を設置することにより患者の治療が妨げられるおそれが低減され得る。
【００９８】
次に、図１１，１２には、本発明の第７の実施形態としての足趾支持台８２が示されている。本実施形態の足趾支持台８２は折り畳み可能な構造とされており、図１１（ａ）に示される足趾支持台８２の使用状態から折り畳むことで、図１１（ｂ）に示されるように寝台１２に収納可能とされている。なお、本実施形態では、前記第６の実施形態と同様に、術者（１４）の左右両脚用に一対の足趾支持台８２，８２が設けられるようになっているが、これらの足趾支持台８２，８２はそれぞれ同様な構造であることから、片方のみを示して説明する。
【００９９】
すなわち、本実施形態の足趾支持台８２を構成する天板８０において、長さ方向における寝台１２側の端縁部の幅方向中央部分からは矩形板状の上側固定片８４が突出している。この上側固定片８４は長さ方向で２枚の板状体がヒンジ８６で接続されることで構成されており、すなわち、突出方向の先端側（寝台１２側）に位置する先端板部８８と基端側（天板８０側）に位置する基端板部９０とがヒンジ８６により接続されている。これにより、水平方向に広がる先端板部８８に対して基端板部９０がヒンジ８６により垂直に折れ曲がることが可能となっている。また、上側固定片８４の先端部分（先端板部８８）には固定部としてのクランプ９２が設けられている一方、上側固定片８４の基端部分（基端板部９０）は天板８０と重ね合わされて、これら基端板部９０と天板８０との重ね合わせ部分に回動軸９４が挿通されている。これにより、天板８０が、回動軸９４を中心として、基端板部９０に対して相対回動可能とされている。一方、天板８０の長さ方向における寝台１２側と反対側の端縁部の幅方向中央部分には、前記第２の実施形態と同様の脚部３４が設けられている。
【０１００】
かかる構造とされた足趾支持台８２の収納作動を図１２（ａ）〜（ｃ）を用いて順次説明する。足趾支持台８２の非使用時には、先ず、図１２（ａ）に示されているように、脚部３４を収縮して、天板８０に接近する方向に折り曲げる。次に、図１２（ｂ）に示されているように、天板８０と寝台１２とが相互に接近する方向に上側固定片８４を折り曲げる。すなわち、ヒンジ８６を中心として先端板部８８に対して基端板部９０を垂直方向下方に折り曲げる。その後、図１２（ｃ）に示されているように、天板８０を、基端板部９０に対して回動軸９４を中心として、足趾支持台８２，８２の対向する方向とは反対方向（図１２（ｃ）中では紙面奥方向）に回動させる。これにより、足趾支持台８２が、図１１（ｂ）に示されるように、寝台１２の側方に収納される。
【０１０１】
上記の如き足趾支持台８２は、クランプ９２の下部に設けられたボルト９６を締め付けることにより、固定部（クランプ９２）が寝台１２のフレーム２４に固定されることから、前記第１の実施形態と同様の効果が発揮され得る。また、足趾支持台８２の非使用時には、クランプ９２のボルト９６を緩めることで寝台１２から足趾支持台８２を取り外すことも可能であるが、本実施形態の足趾支持台８２は折り畳み可能な構造とされて、寝台１２に収納することが可能となっている。これにより、足趾支持台８２を使用する度に装着および取外しを行う必要がなく、非使用時においても、寝台１２から離れた場所に収納スペースを設けることなく、コンパクトに収納される。それ故、本実施形態の足趾支持台８２は救急車などの限定された空間内でも効果的に収納され得て、寝台１２として救急車に搭載されるストレッチャーが採用される場合には、救急車内における胸骨圧迫が効果的に施され得る。また、使用時には、その都度装着作業を行うことがなく、足趾支持台８２を展開することのみで使用可能とされることから、集中治療室（ＩＣＵ）や冠疾患集中治療室（ＣＣＵ）に設置されるベッドなどに本実施形態の足趾支持台８２が採用されることにより、その効果が安定して享受され得る。
【０１０２】
次に、図１３，１４には、本発明の第８の実施形態としての足趾支持台９８が示されている。本実施形態の足趾支持台９８は、前記第７の実施形態の足趾支持台８２と同様な構造とされているが、前記第７の実施形態では上側固定片８４が天板８０から突出しているのに対して、本実施形態では、平面視において上側固定片８４が天板９９から突出せずに重なる位置に設けられている。これにより、足趾支持台９８の寝台１２への固定時において、天板９９が寝台１２の側縁部と重なるようにされている。なお、足趾支持台９８の収納作動は前記第７の実施形態と同様であることから、図示を省略する。
【０１０３】
上記の如き構造とされた足趾支持台９８においても、前記第７の実施形態の足趾支持台８２と同様な構造を有していることから、前記第７の実施形態と同様の効果が発揮され得る。特に、本実施形態では、足趾支持台９８の寝台１２への固定時に、天板９９と寝台１２との間に隙間が形成されないことから、術者１４の足趾１６が安定して支持され得る。
【０１０４】
次に、図１５，１６には本発明の第９の実施形態としての足趾支持台１００が示されている。本実施形態の足趾支持台１００は、寝台１２からの取外しが不能とされており、足趾支持台１００の非使用時は天板１０２を回動移動させることにより寝台１２に収納することが可能とされている。
【０１０５】
すなわち、本実施形態における足趾支持台１００の天板１０２の、寝台１２と隣接する側の側縁部には、幅方向両端部に一対の固定部１０４，１０４が設けられている。なお、これらの固定部１０４，１０４は同様の構造であることから、以下片方の固定部１０４について説明する。
【０１０６】
この固定部１０４は、側面視において略Ｃ字状または略円形の構造の係合部分１０６を備えており、当該係合部分１０６が寝台１２の側縁部を構成するフレーム２４に引っ掛けられて係合されている。これにより、係合部分１０６、および当該係合部分１０６から連続する天板１０２がフレーム２４を中心として回動可能とされている。したがって、これら固定部１０４，１０４の係合部分１０６，１０６により足趾支持台１００を寝台１２に固定する固定手段が構成されている。
【０１０７】
なお、係合部分１０６には、例えば周方向に延びる開口部が設けられており、当該開口部の幅寸法がフレーム２４の最大幅寸法より小さくされることで、固定部１０４（係合部分１０６）とフレーム２４との係合が解除されないようになっている。また、かかる係合部分１０６のフレーム２４への装着は、例えば係合部分１０６を、開口部の幅寸法がフレーム２４の最大幅寸法より大きくなる状態で製造して、係合部分１０６とフレーム２４とを係合させた後、係合部分１０６を変形させて、開口部の幅寸法がフレーム２４の最大幅寸法より小さくなるようにしてもよい。
【０１０８】
一方、天板１０２の長さ方向における寝台１２と隣接する側と反対側の側縁部には、前記第２の実施形態と同様の脚部３４，３４が設けられている。なお、前記第２の実施形態では、脚部３４，３４は寝台１２側に回動させて折り畳むことが可能とされていたが、本実施形態の脚部３４，３４のそれぞれは、例えば当該脚部３４，３４が対向する方向と反対の方向に回動させて折り畳むことが可能とされている。
【０１０９】
かかる構造とされた足趾支持台１００は図１６（ａ），（ｂ）に示す作動により寝台１２に収納される。なお、図１６（ｃ）は、図１６（ｂ）に示される足趾支持台１００の正面図である。すなわち、先ず、図１６（ａ）に示されるように、足趾支持台１００の脚部３４，３４を収縮状態とした後、当該脚部３４，３４を対向する方向と反対の方向に回動させる。その後、天板１０２を、係合部分１０６をフレーム２４を中心として回動させて、天板１０２を固定部１０４（フレーム２４）から下方に延びるように位置させる。これにより、図１６（ｂ），（ｃ）に示されるように、足趾支持台１００が寝台１２の側方に収納される。
【０１１０】
上記の如き構造とされた本実施形態の足趾支持台１００においても、寝台１２に収納され得ることから、前記第７の実施形態と同様の効果が発揮され得る。特に、本実施形態では、足趾支持台１００が、折り畳む作動を必要とすることなく回動作動のみで寝台１２に収納され得ることから、使用時には、より素早く展開させることができる。なお、例えば、本実施形態の天板は、複数枚の板状体を長さ方向でヒンジなどにより接続した構造とされてもよく、かかる天板を折り畳んで寝台（１２）に収納してもよい。これにより、天板が、折り畳み時にコンパクトにされてより効率的に収納され得るとともに、展開時の面積を十分に確保することができて、一層安定して術者（１４）の足趾（１６）が支持され得る。
【０１１１】
次に、図１７，１８には、本発明の第１０の実施形態としての足趾支持台１１０が示されている。本実施形態の足趾支持台１１０では、前記実施形態の如き、凹凸による係合やクランプ、突出板部による固定とは異なり、天板１１２が寝台１２におけるマットレス２８の表面（載置面２２）に載置されることのみで、足趾支持台１１０が寝台１２に固定されるようになっている。
【０１１２】
すなわち、天板１１２の長さ方向の一方の端部分が寝台１２におけるマットレス２８の表面２２に重ね合わされて載置されており、かかる天板１１２における重ね合わせ部分が、載置部１１４とされている。一方、天板１１２の長さ方向他方側が、寝台１２から外周側に突出する突出部１１６とされている。
【０１１３】
なお、本実施形態では、天板１１２が、略全面に亘って合成樹脂により形成された樹脂製シート１１７で覆われている。この樹脂製シート１１７は、全面に亘って微小な凹凸を備えており、表面の摩擦抵抗が大きくされている。かかる樹脂製シート１１７の材質としては、例えばポリウレタン樹脂製レザーやポリ塩化ビニルレザーなどが好適に採用され得る。
【０１１４】
そして、天板１１２の長さ方向の他方の端部分（突出部１１６）において、幅方向両端部分からは、寝台１２を支持する床面１１８に向かって延びる一対の脚部１２０，１２０が設けられている。また、これらの脚部１２０，１２０の基端（天板１１２側の端部）には、天板１１２の底面１２２に設けられて、且つ天板１１２の幅方向に延びるヒンジ部としての回動軸１２４，１２４が挿通されており、当該回動軸１２４，１２４を中心として、脚部１２０，１２０が天板１１２に対して開方向または閉方向に回転自在とされている。
【０１１５】
なお、本実施形態の脚部１２０，１２０には、前記第２の実施形態などと同様に高さ調節機構が設けられており、特に、本実施形態では、前記図４（ｂ）に示されたラチェット式の高さ調節機構１２６，１２６が採用されている。すなわち、両脚部１２０，１２０は、筒状体１２８，１２８にロッド状体１３０，１３０が挿入された構造を有しており、筒状体１２８，１２８からのロッド状体１３０，１３０の突出寸法が段階的に調節可能とされている。また、本実施形態では、両脚部１２０，１２０のそれぞれにおいて、２本の筒状体１２８，１２８が相互に反対方向を向いて、且つ幅方向の内外で隣り合わせで固着されており、すなわち、筒状体１２８，１２８から上方に突出するロッド状体１３０，１３０の突出寸法が調節可能とされているとともに、筒状体１２８，１２８から下方に突出するロッド状体１３０，１３０の突出寸法が調節可能とされている。
【０１１６】
また、両脚部１２０，１２０において、下方に突出するロッド状体１３０，１３０の下端は、連結体１３２で相互に接続されている。この連結体１３２は、ロッド状体１３０などと同様に金属製とされており、ロッド状体１３０，１３０の下端に対して溶接などにより固定されている。なお、連結体１３２の長さ方向（図１８中の左右方向）両端は、ロッド状体１３０，１３０よりも外方まで延び出しており、その両端には、合成樹脂製のキャップ１３４，１３４が外嵌固定されている。これらのキャップ１３４，１３４は、例えば外周面に、連結体１３２の長さ方向に延びる複数の突条が設けられるなどして、外周面の摩擦抵抗が大きくされている。
【０１１７】
さらに、本実施形態では、幅方向外側の筒状体１２８，１２８の長さ方向中間部分において、それぞれの筒状体１２８，１２８を相互に接続して水平に延びる接続部１３６が設けられている。この接続部１３６は、筒状体１２８や連結体１３２などと同様に金属製とされており、幅方向外側の筒状体１２８，１２８に対して溶接などにより固定されている。なお、後述する足趾支持台１１０の寝台１２への取付状態においては、両脚部１２０，１２０が略上下方向に延びることから、接続部１３６は、床面１１８に対して所定の高さ位置をもって設けられるようになっている。
【０１１８】
ここにおいて、両脚部１２０，１２０の基端において、上方に突出するロッド状体１３０，１３０の上端には、外方（寝台１２と反対側）に突出する金属片１３８，１３８が、脚部１２０，１２０に対して所定の角度をもって形成されている。かかる金属片１３８，１３８は、例えば鉄などの金属で形成された薄肉の矩形板により構成されており、ロッド状体１３０，１３０の上端に対して溶接などにより固定されている。
【０１１９】
以上の如き構造とされた足趾支持台１１０は、使用していない状態では、例えば図１９に示されるように折り畳み状態として収容される。すなわち、脚部１２０，１２０において、高さ調節機構１２６，１２６により脚部１２０，１２０の長さ寸法を調節する、即ち筒状体１２８，１２８内にロッド状体１３０，１３０を収容して短くするとともに、脚部１２０，１２０を回動軸１２４回りで閉方向に回転させることで、足趾支持台１１０が折り畳み状態とされる。かかる折り畳み状態では、例えば天板１１２と脚部１２０，１２０とが相互に平行となるようにされる。
【０１２０】
そして、足趾支持台１１０を使用するにあたっては、脚部１２０，１２０を回動軸１２４回りで開方向に後述するストッパ（金属片１３８，１３８）によりその回転が制限されるまで回転させて、脚部１２０，１２０を回動端で保持した状態とする。かかる状態で、天板１１２の長さ方向一方の端部分（載置部１１４）を寝台１２のマットレス２８上に載置する。さらに、筒状体１２８，１２８からロッド状体１３０，１３０を引き出して脚部１２０，１２０の長さ寸法を長くして、脚部１２０，１２０の下端（キャップ１３４，１３４）を床面１１８に当接させることで、足趾支持台１１０が展開状態で寝台１２に取り付けられる。かかる足趾支持台１１０の天板１１２上に術者１４が乗ることで、膝立位による胸骨圧迫が行われる。なお、本実施形態における天板１１２は、例えば前記第４の実施形態と同様に、術者１４の足趾１６だけでなく膝２９も載置可能な大きさで形成されることが好適であり、これにより、天板１１２上に膝２９を載置して、沈み込むことなく胸骨圧迫を行うことも可能である。
【０１２１】
なお、脚部１２０，１２０を回動軸１２４回りに回転させるに際して、金属片１３８，１３８が天板１１２の底面１２２に当接することで、脚部１２０，１２０のそれ以上の回動が制限されるようになっている。すなわち、金属片１３８，１３８により、脚部１２０，１２０の拡開方向の回動端を規定するストッパが構成されている。また、筒状体１２８，１２８からロッド状体１３０，１３０を引き出して脚部１２０，１２０の長さ寸法を長くする際には、例えば接続部１３６を足で押さえつつ天板１１２における寝台１２と反対側の端部を上方に持ち上げることで、脚部１２０，１２０の長さを素早く調節することができる。さらに、接続部１３６に足を掛けることで、術者１４が天板１１２上に素早く乗ることができる。すなわち、かかる接続部１３６により、術者１４が足を掛けて天板１１２上に乗るための足掛部が構成されている。特に、足掛部（接続部）１３６が、天板１１２の長さ方向において寝台１２と反対側の端部付近に設けられていることから、術者１４が天板１１２上に乗る動作が一層容易とされる。
【０１２２】
ここにおいて、載置部１１４を寝台１２のマットレス２８上に載置して寝台１２に取り付けた状態では、天板１１２が、寝台１２側（載置部１１４側）に向かって下方傾斜するようにされている。したがって、天板１１２において載置部１１４と反対側である突出部１１６が、マットレス２８および載置部１１４よりも高い位置に支持されている。すなわち、図１７に示される右側面図において、マットレス２８の上面を通る直線と天板１１２の長さ方向に延びる直線とが所定の角度αをもって交わるようになっている。かかる天板１１２の寝台１２に対する傾斜角度αは、０°＜α≦４５°、より好ましくは３°≦α≦３０°、さらに好ましくは３°≦α≦１５°に設定される。
【０１２３】
また、足趾支持台１１０を寝台１２に取り付けた状態では、天板１１２の長さ方向に延びる直線と脚部１２０の長さ方向に延びる直線とは、所定の角度β（図１７参照）をもって交わっており、当該角度βは、好適には９０°≦β≦１３５°、より好適には９０°＜β≦１２０°の範囲内に設定される。
【０１２４】
更にまた、足趾支持台１１０を寝台１２に取り付けた状態では、脚部１２０，１２０の先端部（キャップ１３４，１３４）は、回動軸１２４を通って床面１１８に直交する垂線Ｌに対して寝台１２と反対側に位置している。すなわち、脚部１２０の長さ方向に延びる直線と床面１１８が９０°未満とされる角度γをもって交わっている。かかる角度γは、４５°≦γ＜９０°とされることが好適であり、より好適には６０°≦γ＜９０°の範囲内に設定される。
【０１２５】
以上の如き構造とされた本実施形態の足趾支持台１１０では、例えば天板１１２上の載置部１１４の側に術者１４の膝２９が載置されて術者１４の体重などの荷重が及ぼされることから、載置部１１４における下方端縁部（天板１１２の傾斜方向で下方となる端縁部）１３９が寝台１２におけるマットレス２８の表面に食い込んで圧接される。これにより、足趾支持台１１０が寝台１２に固定されるようになっている。それ故、載置部１１４の下方端縁部１３９により寝台１２の表面に食い込んで圧接される圧接係合部が構成されており、当該圧接係合部１１４により、足趾支持台１１０を寝台１２に固定する固定手段が構成されている。そして、かかる足趾支持台１１０においても、膝立位による胸骨圧迫時に術者１４の足趾１６が支持されることから、前記第１の実施形態と同様の効果が発揮され得る。
【０１２６】
また、本実施形態では、天板１１２が寝台１２側に向かって下方傾斜していることから、術者１４が前傾姿勢となることができて、胸骨圧迫に際して術者１４の体重を効率的に患者に及ぼすことができる。それに加えて、天板１１２の寝台１２と反対側の端部がマットレス２８よりも高い位置にあることで、足趾１６に力を入れた際にも、例えば天板が水平方向に広がっている場合に比べて、天板１１２から安定して反力を得ることができて、胸骨圧迫時の術者１４の姿勢を一層安定させることができる。
【０１２７】
さらに、天板１１２の載置部１１４が術者１４の体重により寝台１２におけるマットレス２８上に食い込むことに加えて、天板１１２が樹脂製シート１１７で覆われて表面の摩擦抵抗が大きくされていることから、胸骨圧迫時の術者１４の動作により天板１１２が寝台１２のマットレス２８上から滑り落ちることが防止され得る。それ故、前記実施形態の如き凹凸による係合やクランプ、突出板部などを採用することなく、載置部１１４を寝台１２の表面に載置することのみで、足趾支持台１１０が寝台１２に固定され得る。これにより、足趾支持台１１０の寝台１２への固定時間を短くすることができて、患者７４に対してより素早く胸骨圧迫を施すことができる。
【０１２８】
特に、脚部１２０，１２０の長さを調節して、天板１１２を寝台１２側に向かって下方傾斜させつつ載置部１１４を寝台１２のマットレス２８上に載置することで、足趾支持台１１０が寝台１２に固定されることから、寝台の種類や高さなどに拘らず、足趾支持台１１０を取り付けることができる。それ故、汎用性の高い足趾支持台１１０を提供することができる。
【０１２９】
更にまた、本実施形態では、脚部１２０，１２０の開方向の回動を制限するストッパ（金属片）１３８，１３８が設けられていることから、脚部１２０，１２０を開方向に回動させることのみで足趾支持台１１０の展開動作を完了させることもできる。これにより、足趾支持台１１０を寝台１２に対して一層素早く装着することができる。
【０１３０】
なお、本実施形態では、脚部１２０，１２０の閉方向の回動を制限するストッパは設けられていないが、天板１１２と脚部１２０，１２０とのなす角βが９０°以上とされていることや、脚部１２０，１２０と床面１１８とのなす角γが９０°未満とされている（脚部１２０，１２０の下端が直線Ｌを挟んで寝台１２と反対側にある）ことから、胸骨圧迫時の動作により脚部１２０，１２０が天板１２に対して閉方向に自動的に回動してしまうことが効果的に防止され得る。それ故、脚部１２０，１２０の閉方向の回動を制限する動作を行う必要もなく、足趾支持台１１０を寝台１２に対してより一層素早く固定することができる。
【０１３１】
また、本実施形態の足趾支持台１１０には、脚部１２０，１２０間を水平に延びる接続部１３６が設けられており、当該接続部１３６に足を掛けて天板１１２上に乗ることができることから、術者１４が素早く天板１１２上に移動して胸骨圧迫を施すことができる。
【０１３２】
次に、図２０には、本発明の第１１の実施形態としての足趾支持台１４０が示されている。本実施形態における足趾支持台１４０の脚部の構造は、前記第１０の実施形態における脚部１２０，１２０と同様の構造が採用されている一方、天板の構造が異ならされている。
【０１３３】
すなわち、本実施形態における天板１４２の寝台１２側の端部（載置部１１４）には、寝台１２側（下方）に突出する突条部１４４が設けられている。かかる突条部１４４は、略矩形断面をもって寝台１２の長手方向（図２０の紙面直交方向）、即ち天板１４２の幅方向略全長に亘って延びている。なお、本実施形態においても、天板１４２は、全面に亘って樹脂製シート１１７で覆われている。
【０１３４】
かかる構造とされた足趾支持台１４０では、天板１４２が水平とされた状態で、載置部１１４が寝台１２のマットレス２８上に載置される。
【０１３５】
このような足趾支持台１４０においても、術者１４が天板１４２上に乗ることにより、突条部１４４が寝台１２の表面に食い込んで、足趾支持台１４０が寝台１２に圧接固定される。したがって、かかる足趾支持台１４０によれば、前記第１０の実施形態と同様の効果が発揮され得る。それ故、本実施形態の足趾支持台１４０では、突条部１４４により圧接係合部が構成されているとともに、当該圧接係合部により足趾支持台１４０を寝台１２に固定する固定手段が構成されている。
【０１３６】
次に、図２１には、本発明の第１２の実施形態としての足趾支持台１５０の要部が示されている。なお、本実施形態の足趾支持台１５０では、脚部１２０，１２０の回動を制限するストッパ以外の構造は、前記第１１の実施形態と同様であることから、ストッパの部分のみを拡大して図２１に示す。すなわち、前記第１１の実施形態においては、脚部１２０，１２０の展開状態からの更なる開方向への回動を制限するストッパが金属片１３８，１３８により形成されている一方、展開状態からの閉方向への回動を制限するストッパは設けられていなかったが、本実施形態では、脚部１２０，１２０の展開状態からの開方向と閉方向の両方向の回動を制限するストッパ機構１５２が設けられている。
【０１３７】
本実施形態の足趾支持台１５０では、ストッパ機構１５２が、第一の金属片１５４と第二の金属片１５６とから構成されており、天板１４２側に第一の金属片１５４が設けられているとともに、脚部１２０側に第二の金属片１５６が設けられている。これら第一および第二の金属片１５４，１５６は、それぞれ略矩形状とされており、第一の金属片１５４には、板厚方向に貫通するとともに第一の金属片１５４の長さ方向に延びる係合溝１５８が形成されている。一方、第二の金属片１５６からは係合突部１６０が突出しており、係合溝１５８内に係合突部１６０が入り込むことで、第一の金属片１５４と第二の金属片１５６とが係合している。そして、脚部１２０，１２０の回動軸１２４回りの回動に伴い、係合突部１６０が、係合溝１５８内を摺動するようになっている。
【０１３８】
すなわち、脚部１２０，１２０が閉状態とされる場合には、係合突部１６０が、係合溝１５８内の一方の端部に位置しているとともに、脚部１２０，１２０が展開状態とされる場合には、図２１に示されるように、係合突部１６０が、係合溝１５８内の他方の端部に位置している。なお、係合溝１５８には、溝内部に突出する凸部１６２が設けられており、係合突部１６０が凸部１６２を乗り越えることで、係合溝１５８内の他方の端部に位置するようになっている。
【０１３９】
かかる構造とされたストッパ機構１５２では、脚部１２０，１２０を回動軸１２４回りで所定の角度だけ回転させることにより、係合突部１６０が凸部１６２を乗り越えて、係合溝１５８内の他方の端部に位置させられる（展開状態）。この際、係合突部１６０と係合溝１５８における他方の端部側の内壁１６４とが当接することにより、それ以上の脚部１２０，１２０の開方向への回動が制限される。すなわち、これら係合突部１６０と係合溝１５８における他方の端部側の内壁１６４とにより、脚部１２０，１２０の開方向への回動端を規定するストッパが構成されている。また、かかる状態から脚部１２０，１２０を閉方向に回動させるには、凸部１６２を乗り越える必要があることから、脚部１２０，１２０が自動的に閉方向に回転してしまうことが防止されている。すなわち、係合突部１６０と凸部１６２とが当接することで、脚部１２０，１２０の閉方向への回動が制限されるようになっている。
【０１４０】
以上の如きストッパ機構１５２を備える足趾支持台１５０では、脚部１２０，１２０が展開された状態で、脚部１２０，１２０のそれ以上の開方向および閉方向への回転が防止されることから、足趾支持台１５０に対して胸骨圧迫の動作に伴う外力が及ぼされても、脚部１２０，１２０が自動的に閉方向へと回動することが回避されて、術者（１４）が高い信頼性をもって胸骨圧迫を施すことができる。尤も、展開状態からの脚部１２０，１２０の開方向および閉方向への回動を防止するストッパ機構としては本実施形態に例示的に記載したものに限定されるものではなく、例えば係合溝１５８内に別途ストッパ部材を嵌め込んだりして係合突部１６０の移動（脚部１２０，１２０の回動）を防止するようにしてもよい。
【０１４１】
以上、本発明の実施形態について説明してきたが、本発明はかかる実施形態における具体的な記載によって限定的に解釈されるものでなく、当業者の知識に基づいて種々なる変更，修正，改良などを加えた態様で実施可能である。
【０１４２】
たとえば、足趾支持台に設けられる脚部の数は何等限定されるものではない。すなわち、前記第６〜第８の実施形態では、足趾支持台７８，８２，９８にそれぞれ１つの脚部３４が設けられていたが、これらの足趾支持台においても複数の脚部が設けられてもよい。さらに、前記各実施形態では、天板１８，８０，９９，１０２，１１２，１４２の長さ方向における寝台１２に隣接する側と反対側の側縁部のみに脚部２０，３４，１２０が設けられていたが、天板の長さ方向における寝台に隣接する側の側縁部にも脚部が設けられてもよく、例えば足趾支持台は四本脚とされてもよい。その場合、例えば各脚部の下端にキャスターを設けてもよく、これにより足趾支持台の移動が容易とされ得る。また、足趾支持台にキャスターが設けられる場合には、足趾支持台がベッドやストレッチャーと共に移動できることから、患者の搬送中においても術者が寝台上で膝立位の状態で胸骨圧迫を施すことが可能となる。
【０１４３】
さらに、足趾支持台に設けられる固定部やクランプの数は何等限定されるものではない。たとえば、前記第６〜第８の実施形態では、足趾支持台７８，８２，９８にそれぞれ１つの固定部３０またはクランプ９２が設けられていたが、それぞれ複数の固定部やクランプが設けられてもよい。また、前記第１〜第５、第９の実施形態では、足趾支持台１０，３２，６０，６６，７０，１００にそれぞれ一対の固定部３０，３０や固定部１０４，１０４、またはクランプ６２，６２が設けられていたが、これらはそれぞれ１つ、または３つ以上設けられてもよい。
【０１４４】
また、前記第１〜第６および第１０〜第１２の実施形態では、足趾支持台１０，３２，６０，６６，７０，７８，１１０，１４０，１５０が寝台１２から取外し可能とされるとともに、前記第７〜第９の実施形態では、足趾支持台８２，９８，１００が寝台１２に収納され得るようになっていたが、足趾支持台は取り外したり収納したりされなくてもよい。すなわち、例えば前記第１の実施形態に示される足趾支持台１０が、固定部３０，３０の係合部分３１，３１において、寝台１２のフレーム２４に溶着や接着により固着されてもよい。
【０１４５】
さらに、前記第１，２，６，９の実施形態では、固定部３０，１０４の係合部分３１，１０６が寝台１２のフレーム２４に引っ掛けられるように係合するようになっているとともに、前記第３〜５，７，８の実施形態では、クランプ６２，９２（固定部）が寝台１２のフレーム２４を挟み込むように係合するようになっているが、これらの態様に限定されるものではない。すなわち、たとえば、図２２（ａ）に示されるように、寝台１２に、上下方向にスライド可能な転落防止用の柵１７０が設けられる場合には、転落防止用の柵１７０を下げた状態にして、固定部３０の係合部分３１が当該転落防止用の柵１７０に係合して固定されるようになっていてもよい。また、図２２（ｂ）に示されるように、転落防止用の柵がフレーム２４に設けられた凹部１７２に挿入されることで取り付けられる場合には、かかる転落防止用の柵を取り外して、当該柵の設置用の凹部１７２に鉤状とされた固定部１７４の先端部分を挿入することで固定されるようになっていてもよい。さらに、図２２（ｃ）に示されるように、固定部１７６がバンド状とされて、フレーム２４に結び付けられてもよい。かかる場合の固定には、例えば面ファスナーなどが好適に採用され得る。これら図２２（ａ）〜（ｃ）に示される固定部３０，１７４，１７６を採用することにより、寝台１２に対して足趾支持台が着脱可能に固定され得る。
【０１４６】
更にまた、前記第５の実施形態では、天板１８から別部材とされた突出板部７２が突出していたが、天板と突出板部は一体とされて、１枚の板状体として構成されてもよい。また、前記第５の実施形態において、クランプ６２，６２は必須なものではなく、突出板部が患者の体重により固定されることのみで足趾支持台が寝台に固定されるようになっていてもよい。なお、突出板部が固定手段として患者の体重により移動不能に固定される場合には、突出板部は、前記第５の実施形態のように患者の背中を覆い得る大きさとされる必要はなく、患者の一部分が載置されることにより患者の体重が及ぼされて移動不能に固定されるようになっていてもよい。
【０１４７】
さらに、前記第５の実施形態では、天板１８と突出板部７２とはヒンジ７６，７６により接続されて、当該ヒンジ７６，７６において、天板１８に対して突出板部７２を折り返すことで足趾支持台７０をコンパクトにできるようにされていたが、図２３に示される足趾支持台１７８のように、天板１８の上面に対して突出板部１８０を重ね合わせて、天板１８の幅方向両端に設けられたガイド１８２，１８２に沿って天板１８の長さ方向でスライド変位できるようにしてもよい。かかる足趾支持台１７８においても、突出板部１２４を天板１８の長さ方向における寝台１２が設けられる側とは反対側へスライド変位させることにより足趾支持台１７８をコンパクトにすることができることから、前記第５の実施形態と同様の効果が発揮され得る。尤も、上記の如き折り返したりスライドしたりして足趾支持台をコンパクトにする機構は必須なものではなく、図２４に示される足趾支持台１８４のように、１枚の平坦な天板１８６が患者の体重のみで寝台１２に固定されるようになっていてもよい。
【０１４８】
また、前記図３や図４に示される高さ調節機構３６，４６，４８，５０はそれぞれ天板１８の高さ位置を手動で調節するようにされていたが、例えばモータなどを用いて電動で調節するようにしてもよい。なお、寝台が高さ調節機構を備えている場合には、寝台の高さの調節に連動して、足趾支持台の高さを自動で調節するようにしてもよい。
【０１４９】
さらに、前記第１０〜第１２の実施形態では、天板１１２，１４２の全体が樹脂製シート１１７で覆われていたが、例えば寝台のマットレス上に直接当接する載置部や突条部の底面のみに樹脂製シートが貼付されるなどでもよい。なお、摩擦抵抗を向上させる部材は、樹脂製シートに限定されるものではなく、例えば凹凸を有するゴムなどでもよい。尤も、かかる摩擦を向上させる部材は必須なものではなく、天板の底面を荒らして摩擦抵抗を上げるなどしてもよい。かかる摩擦抵抗を向上させる部材の材質などは、例えば防水性や消毒性（耐薬品性）などを考慮して選択されることが好適である。
【０１５０】
また、前記第１１の実施形態では、突条部１４４が天板１４２の幅方向の略全長に亘って延びていたが、例えば天板１４２の幅方向で部分的に設けられてもよい。また、前記第１１の実施形態では、突条部１４４は略矩形断面とされていたが、突出先端（下方）に向かって先細となる形状などとされてもよく、かかる形状を採用することにより、より大きな圧力をもって寝台の表面に圧接され得る。
【０１５１】
更にまた、前記第１０，１１の実施形態に記載の足掛部（接続部）１３６は、脚部が複数設けられている前記第１〜第６および第９の実施形態でも採用することが可能であり、また前記第７，８の実施形態でも脚部を複数設けることで採用可能となる。
【符号の説明】
【０１５２】
１０，３２，６０，６６，７０，７８，８２，９８，１００，１１０，１４０，１５０，１７８，１８４：足趾支持台、１２：寝台、１４：術者、１６：足趾、１８，８０，９９，１０２，１１２，１４２，１８６：天板、２０，３４，１２０：脚部、２４：フレーム、２９：膝、３０，１０４，１７４，１７６：固定部、３１，１０６：係合部分（固定手段）、３６，４８，５０，１２６：高さ調節機構、４６，６８：ねじ式ジャッキ（高さ調節機構）、６２，９２：クランプ（固定部）、７２，１８０：突出板部（固定手段）、７４：患者、１１４：載置部（圧接係合部、固定手段）、１１６：突出部、１１８：床面、１２２：底面、１２４：回動軸（ヒンジ部）、１３６：接続部（足掛部）、１３８：金属片（ストッパ）、１４４：突条部、１６０：係合突部（ストッパ）、１６４：内壁（ストッパ）
【図１】
0006634969.tif 000002
【図２】
0006634969.tif 000003
【図３】
0006634969.tif 000004
【図４】
0006634969.tif 000005
【図５】
0006634969.tif 000006
【図６】
0006634969.tif 000007
【図７】
0006634969.tif 000008
【図８】
0006634969.tif 000009
【図９】
0006634969.tif 000010
【図１０】
0006634969.tif 000011
【図１１】
0006634969.tif 000012
【図１２】
0006634969.tif 000013
【図１３】
0006634969.tif 000014
【図１４】
0006634969.tif 000015
【図１５】
0006634969.tif 000016
【図１６】
0006634969.tif 000017
【図１７】
0006634969.tif 000018
【図１８】
0006634969.tif 000019
【図１９】
0006634969.tif 000020
【図２０】
0006634969.tif 000021
【図２１】
0006634969.tif 000022
【図２２】
0006634969.tif 000023
【図２３】
0006634969.tif 000024
【図２４】
0006634969.tif 000025
【図２５】
0006634969.tif 000026